(57)【要約】【課題】提供先に応じた情報を見やすい形態で提供する。【解決手段】折り畳まれることによって分割される複数の情報掲載領域１ａ〜１ｄ，２ａ〜２ｄから構成し、かつ、掲載される複数の項目のそれぞれについて、情報掲載領域１ａ〜１ｄ，２ａ〜２ｄに応じたレイアウトに従って、提供先に応じた情報を掲載する。【選択図】  図１
2004213056.tif 000002
【特許請求の範囲】
【請求項１】
複数の項目からなる情報が掲載された情報提供媒体であって、
折り畳まれることによって分割される複数の情報掲載領域からなり、
前記複数の項目のそれぞれについて、前記情報掲載領域に応じたレイアウトに従って、提供先に応じた情報が掲載されていることを特徴とする情報提供媒体。
【請求項２】
請求項１に記載の情報提供媒体において、
前記複数の項目のうち少なくとも１つの項目は、２つ以上の情報掲載領域を跨いで掲載されていることを特徴とする情報提供媒体。
【請求項３】
請求項１または請求項２に記載の情報提供媒体において、
前記情報は、文書データ及び画像データからなることを特徴とする情報提供媒体。
【請求項４】
請求項１乃至３のいずれか１項に記載の情報提供媒体において、
前記情報が、８４０ｍｍ×２９７ｍｍの大きさの用紙の表裏に印刷され、１つの情報掲載領域が２１０ｍｍ×２９７ｍｍの大きさとなるように折り畳まれていることを特徴とする情報提供媒体。
【請求項５】
請求項１乃至４のいずれか１項に記載の情報提供媒体において、
前記複数の情報掲載領域のうち折り畳まれた際に表出する情報掲載領域に、提供先を示す情報が掲載されていることを特徴とする情報提供媒体。
【発明の詳細な説明】
【０００１】
【発明の属する技術分野】
本発明は、カタログ等の情報提供媒体に関し、特に、提供先に応じた情報が掲載された情報提供媒体に関する。
【０００２】
【従来の技術】
従来より、雑誌やカタログ等の情報提供媒体においては、商品やサービス等の情報が掲載され、販売等の手段によって情報の提供先に配布されている。また、旅行誌や旅行カタログ等にように、所定の対象物についての情報が掲載されているものもある。
【０００３】
このような情報提供媒体は、まず、掲載すべき情報が収集され、次に、収集された情報の掲載レイアウトが決定され、その後、決定された掲載レイアウトに従って、収集された情報が印刷されて作成されることになる。
【０００４】
そのため、提供される情報が画一的となり、提供先に応じた情報を提供することができず、それにより、提供先において不要な情報までもが提供先に提供されることになり、さらに、雑誌においては、必要以上の厚さを有するものとなってしまう。
【０００５】
近年、インターネットやパソコンの急速な普及に伴い、上述したような情報を、インターネットを介して提供するシステムが構築されている。
【０００６】
このようなシステムにおいては、利用者が商品等について所望の条件を指定すると、指定された条件に基づいて商品等の情報が検索され、指定された条件に応じた情報がインターネットを介して提供される。
【０００７】
また、旅行者が予め登録した情報に基づいて旅行プランを作成し、作成した旅行プランを、旅行者が所持する携帯端末に送信する旅行情報提供システムが考えられている。
【０００８】
この旅行情報提供システムにおいては、旅行プランを作成するための情報を旅行者が登録しておくと、この情報に基づいて旅行プランが作成され、作成された旅行プランが旅行者を識別可能なＩＤと対応づけられて登録される。
【０００９】
その後、旅行者が、所持する携帯端末にてＩＤを指定すると、このＩＤに対応づけらて登録された旅行プランが携帯端末に送信され、旅行者は、携帯端末にて受信、表示された旅行プランを参考にしながら旅行することになる（例えば、特許文献１参照。）。
【００１０】
【特許文献１】
特開２００２−１６９８６４号公報
【００１１】
【発明が解決しようとする課題】
しかしながら、上述したようなインターネットを介しての情報提供システムにおいては、提供された情報をプリントアウトすることはできるものの、プリントアウトされた印刷物を携帯するために折り畳んだ場合、情報を閲覧する際に、この印刷物を広げなければ情報が見づらいという問題点がある。
【００１２】
また、上述したような旅行情報提供システムにおいては、旅行者が登録した情報に基づいて作成された旅行プランが、旅行者が所持する携帯端末に送信され、携帯端末の画面上に表示されることになるが、旅行者が旅行プランを閲覧したい場合、旅行プランと対応づけられたＩＤを指定することにより旅行プランの送信を要求しなければならず、そのための手間がかかってしまうという問題点がある。また、旅行プランと対応づけられたＩＤを旅行者が忘れてしまった場合、旅行者が旅行プランを取得することができなくなってしまうという問題点がある。また、携帯端末の画面は、表示可能な情報量が限られているため、旅行プランが旅行者にとって見やすい形態で表示されるとは限られないという問題点がある。
【００１３】
本発明は、上述したような従来の技術が有する問題点に鑑みてなされたものであって、提供先に応じた情報を見やすい形態で提供することができる情報提供媒体を提供することを目的とする。
【００１４】
【課題を解決するための手段】
上記目的を達成するために本発明は、
複数の項目からなる情報が掲載された情報提供媒体であって、
折り畳まれることによって分割される複数の情報掲載領域からなり、
前記複数の項目のそれぞれについて、前記情報掲載領域に応じたレイアウトに従って、提供先に応じた情報が掲載されていることを特徴とする。
【００１５】
また、前記複数の項目のうち少なくとも１つの項目は、２つ以上の情報掲載領域を跨いで掲載されていることを特徴とする。
【００１６】
また、前記情報は、文書データ及び画像データからなることを特徴とする。
【００１７】
また、前記情報が、８４０ｍｍ×２９７ｍｍの大きさの用紙の表裏に印刷され、１つの情報掲載領域が２１０ｍｍ×２９７ｍｍの大きさとなるように折り畳まれていることを特徴とする。
【００１８】
また、前記複数の情報掲載領域のうち折り畳まれた際に表出する情報掲載領域に、提供先を示す情報が掲載されていることを特徴とする。
【００１９】
（作用）
上記のように構成された本発明においては、複数の項目からなる情報が掲載された情報提供媒体が、折り畳まれることによって分割される複数の情報掲載領域からなり、かつ、複数の項目のそれぞれについて、情報掲載領域に応じたレイアウトに従って、提供先に応じた情報が掲載されているので、提供先に応じた情報が提供先に提供されるとともに、折り畳まれた状態でも情報を閲覧することができ、見やすい形態で情報が提供される。
【００２０】
また、複数の情報掲載領域のうち折り畳まれた際に表出する情報掲載領域に、提供先を示す情報が掲載されていれば、この情報提供媒体を、折り畳まれた状態で透明封筒に封入するだけで、提供先に郵送等の手段によって情報が提供されることになる。
【００２１】
【発明の実施の形態】
以下に、本発明の実施の形態について図面を参照して説明する。
【００２２】
（第１の実施の形態）
図１は、本発明の情報提供媒体の第１の実施の形態である旅行カタログの構成を示す図であり、（ａ）は広げた状態の表面構成を示す図、（ｂ）は広げた状態の裏面構成を示す図である。
【００２３】
本形態は図１に示すように、８４０ｍｍ×２９７ｍｍのサイズの用紙が、表裏それぞれにおいて、４つの情報掲載領域１ａ〜１ｄ，２ａ〜２ｄに分割されており、情報掲載領域１ｃ，１ｄ，２ａ〜２ｄにはそれぞれ異なる項目に関する文書データ及び画像データからなる情報が掲載され、また、情報掲載領域１ａと情報掲載領域１ｂとに跨るように１つの項目に関する文書データ及び画像データからなる情報が掲載されている。例えば、情報掲載領域１ａ，１ｂには、行き先の地図及び旅行者に合ったモデルコースがこれら情報掲載領域１ａ，１ｂを跨るように掲載され、また、情報掲載領域１ｃには、情報掲載領域１ａ，１ｂに掲載されたモデルコースの日程表が掲載され、また、情報掲載領域１ｄには、情報掲載領域１ａ，１ｂに掲載されたモデルコースに含まれているホテルや飲食店や土産物店等の一覧及びそれらに関する情報が掲載され、また、情報掲載領域２ａには、情報掲載領域１ｄに掲載されたホテルや飲食店や土産物店、あるいはその行き先にて使用可能なクーポン情報が掲載され、また、情報掲載領域２ｂには、この旅行カタログの配布先を示す情報が掲載され、また、情報掲載領域２ｃには、観光やレジャー等のオプショナルツアーの情報が掲載され、また、情報掲載領域２ｄには、その行き先の通貨のレート換算表や、情報掲載領域１ａ，１ｂに掲載されたモデルコースに含まれている地区の最新情報や、各地区の気候や、旅行時期の風景や、旅行者の体験談等の情報が掲載されている。
【００２４】
上記のように構成された旅行カタログは、情報掲載領域１ａ〜１ｄ，２ａ〜２ｄに上述したような情報がそれぞれ印字された後、まず、用紙の両端が用紙の中心線にて接するようにＢ−Ｂ線で折り畳まれ、次に、用紙の中心線であるＡ−Ａ線で二つ折りに折り畳まれる。これにより、旅行カタログが折り畳まれた状態において、この旅行カタログの提供先を示す情報が掲載された情報掲載領域２ｂが表出することになる。なお、本発明における用紙の折り畳み方はこれに限らず、折り畳まれた際に提供先を示す情報が表出するような折り畳み方であればよい。なお、このＡ−Ａ線は、情報掲載領域１ｂと情報掲載領域１ｃ、並びに、情報掲載領域２ｂと情報掲載領域２ｃとを分割するための境界線となり、また、Ｂ−Ｂ線は、情報掲載領域１ａと情報掲載領域１ｂ、情報掲載領域１ｃと情報掲載領域１ｄ、情報掲載領域２ａと情報掲載領域２ｂ、並びに、情報掲載領域２ｃと情報掲載領域２ｄとを分割するための境界線となっている。
【００２５】
以下に、上述した旅行カタログの作成方法について詳細に説明する。
【００２６】
図２は、図１に示した旅行カタログを作成するための旅行カタログ作成システムの実施の一形態を示す図である。また、図３は、図２に示した旅行カタログ作成システムにおける旅行カタログの作成方法を説明するためのフローチャートである。
【００２７】
本形態における旅行カタログ作成システムは図２に示すように、顧客情報を顧客情報データベース６１に登録する顧客情報登録部１０と、指定された情報に基づいて顧客情報データベース６１を検索する顧客情報検索部２０と、顧客情報検索部６１にて検索された顧客情報と指定された行き先情報とから旅行案内情報データベース６２を検索する旅行案内情報検索部３０と、旅行案内情報検索部３０にて検索された旅行案内情報を指定された日程情報及び印刷対象となる用紙の情報掲載領域に応じたレイアウトに従って編集する旅行案内情報編集部４０と、旅行案内情報編集部４０にて編集された旅行案内情報を、図１に示したような８４０ｍｍ×２９７ｍｍのサイズの用紙の表裏にそれぞれ印字する印字部５０とから構成されている。
【００２８】
上記のように構成された旅行カタログ作成システムにおいては、旅行カタログが提供される旅行者について、顧客情報を予め登録しておく必要がある。顧客情報としては、旅行者の氏名、年齢、性別、住所等の属性情報や、嗜好情報、あるいは過去の旅行履歴情報等が挙げられ、これらの情報が顧客情報登録部１０によって顧客情報データベース６１に登録される（ステップＳ１）。なお、顧客情報データベース６１に顧客情報を登録する際に旅行者を識別可能なＩＤを旅行者毎に付与し、この旅行者の顧客情報と対応づけて顧客情報データベース６１に登録しておけば、後に、顧客情報データベース６１を検索する際にＩＤを指定するだけで顧客情報を検索することができるようになる。また、この顧客情報の登録は、旅行者がｗｅｂ上の所定のサイトを介して行うこと等が考えられるが、その他に、旅行カタログの発行元あるいは旅行代理店にて行う等、特に限定されるものではない。また、過去の旅行履歴情報については、旅行者が自ら提供する場合や、旅行カタログに掲載されたホテルや店舗等と提携し、旅行者が利用したホテルや店舗等の情報を用いて取得する場合等が考えられる。
【００２９】
その後、旅行者に旅行カタログを提供する場合は（ステップＳ２）、まず、顧客情報検索部２０において、顧客情報データベース６１の中から旅行者の顧客情報が検索される（ステップＳ３）。この際、顧客情報検索部２０においては、顧客情報データベース６１の中から顧客情報を検索するための情報が指定される。顧客情報を検索するための情報としては、顧客情報データベース６１に顧客情報として登録されている旅行者の氏名や住所や、顧客情報に対応づけられたＩＤが挙げられ、これらのいずれかの情報が指定されると、顧客情報検索部２０において、指定された情報に基づいて、顧客情報データベース６１の中から旅行者の顧客情報が検索されることになる。
【００３０】
次に、旅行案内情報検索部３０において、顧客情報検索部２０にて検索された顧客情報と指定された行き先情報とから旅行案内情報データベース６２が検索される（ステップＳ４）。旅行案内情報データベース６２には、行き先毎に、その地域の地図や、ホテルや店舗やクーポン、あるいは、図１に示した情報掲載領域２ｄに掲載されるような情報が登録されている。旅行案内情報検索部３０においては、顧客情報検索部２０にて検索された顧客情報に対して、旅行案内情報データベース６２に登録された旅行案内情報のうちどの情報を抽出するかのテーブル（不図示）が設けられており、このテーブルにおける設定に従って、顧客情報検索部６１にて検索された顧客情報に基づく旅行案内情報が検索されることになる。ここで、このテーブルを用いた場合、顧客情報検索部２０にて検索された複数の顧客情報を用いて、旅行案内情報に優先度が設定されることになる。例えば、旅行案内情報データベース６２にその行き先の飲食店Ａ，Ｂ，Ｃ，Ｄ，Ｅが登録されている場合であって、地元料理が好きであるという顧客情報に対して飲食店Ａ，Ｂという旅行案内情報が設定されており、また、２０代という顧客情報に対して飲食店Ｂ，Ｄという旅行案内情報が設定されている場合、地元料理が好きであり、２０代という顧客情報に対しては、飲食店Ｂという旅行案内情報が優先度が最も高くなり、次に、飲食店Ａ，Ｄという旅行案内情報、続いて、飲食店Ｃ，Ｅという旅行案内情報というような優先度となる。
【００３１】
次に、旅行案内情報編集部４０において、指定された日程情報及び印刷対象となる用紙の情報掲載領域に応じたレイアウトに従って、旅行案内情報検索部３０にて検索された旅行案内情報が編集される（ステップＳ５）。まず、指定された日程情報に従って、モデルコースが設定される。モデルコースの設定は、旅行案内情報検索部３０にて検索された旅行案内情報を用いて行われる。指定された日程の範囲内において、旅行案内情報検索部３０にて検索された旅行案内情報を全て含むことが可能である場合は、旅行案内情報検索部３０にて検索された旅行案内情報からなるモデルコースが設定される。一方、指定された日程の範囲内において、旅行案内情報検索部３０にて検索された旅行案内情報を全て含むことが不可能である場合は、上述した優先度に従って、旅行案内情報検索部３０にて検索された旅行案内情報のうち、顧客情報による優先度の高い旅行案内情報からモデルコースに組み込まれていき、指定された日程の範囲内にて可能な範囲のモデルコースが設定される。そして、設定されたモデルコースに従った日程表が作成される。次に、印刷対象となる用紙の情報掲載領域に応じたレイアウトに従って、モデルコースに含まれるホテルや店舗等の詳細情報の掲載レイアウトが決定する。これにより、行き先の地図及び旅行者に合ったモデルコースがこれら情報掲載領域１ａ，１ｂを跨るようにレイアウトされ、また、情報掲載領域１ａ，１ｂに掲載されたモデルコースの日程表が情報掲載領域１ｃにレイアウトされ、また、情報掲載領域１ａ，１ｂに掲載されたモデルコースに含まれているホテルや飲食店や土産物店等の一覧及びそれらに関する情報が情報掲載領域１ｄにレイアウトされ、また、情報掲載領域１ｄに掲載されたホテルや飲食店や土産物店、あるいはその行き先にて使用可能なクーポン情報が情報掲載領域２ａにレイアウトされ、また、この旅行カタログの配布先を示す情報が情報掲載領域２ｂにレイアウトされ、また、観光やレジャー等のオプショナルツアーの情報が情報掲載領域２ｃにレイアウトされ、また、その行き先の通貨のレート換算表や、情報掲載領域１ａ，１ｂに掲載されたモデルコースに含まれている地区の最新情報や、各地区の気候や、旅行時期の風景や、旅行者の体験談等の情報が情報掲載領域２ｄにレイアウトされることになる。ここで、優先度によって抽出された旅行案内情報が存在する場合に、その優先度に従って掲載レイアウトを決定することも考えられる。例えば、優先度が高い旅行案内情報を優先度の低い旅行案内情報よりも上段に配置したり、優先度が高い旅行案内情報を強調表示したりすることが考えられる。
【００３２】
その後、印字部５０において、旅行案内情報編集部４０にて編集された情報が、ロール供給される連続紙の表裏に連続的に印字され、その後、図１に示したような８４０ｍｍ×２９７ｍｍのサイズに断裁され、さらに、その後、上述したように折り畳まれ、２１０ｍｍ×２９７ｍｍの大きさを有する旅行カタログとして完成する。この旅行カタログは、折り畳まれた状態において提供先を示す情報が表出しているので、折り畳まれた状態で透明封筒に封入するだけで、提供先に郵送等の手段によって提供することが可能となる。
【００３３】
なお、本形態においては、指定された日程の範囲内にて可能な範囲のモデルコースが設定され、設定されたモデルコースに含まれる店舗等の旅行案内情報が掲載されているが、指定された日程の範囲内にて可能な範囲のモデルコースが設定されものの、顧客情報に基づいた、店舗等の旅行案内情報の全てを掲載する構成とすることも考えられる。
【００３４】
このように本形態においては、提供先に関する情報である顧客情報に基づいて掲載内容が編集されているので、提供先に応じた情報を提供先に提供することができ、また、折り畳まれることによって分割される情報掲載領域に応じたレイアウトに従って、提供される情報が掲載されているので、折り畳まれた状態でも情報を閲覧することができ、見やすい形態で情報を提供することができる。
【００３５】
（第２の実施の形態）
図４は、本発明の情報提供媒体の第２の実施の形態である住宅物件カタログの構成を示す図であり、（ａ）は広げた状態の表面構成を示す図、（ｂ）は広げた状態の裏面構成を示す図である。
【００３６】
本形態は図４に示すように、８４０ｍｍ×２９７ｍｍのサイズの用紙が、表裏それぞれにおいて、４つの情報掲載領域１０１ａ〜１０１ｄ，１０２ａ〜１０２ｄに分割されており、情報掲載領域１０１ｃ，１０１ｄ，１０２ａ〜１０２ｄにはそれぞれ異なる項目に関する文書データ及び画像データからなる情報が掲載され、また、情報掲載領域１０１ａと情報掲載領域１０１ｂとに跨るように１つの項目に関する文書データ及び画像データからなる情報が掲載されている。例えば、情報掲載領域１０１ａ，１０１ｂには、全ての対象物件の位置情報を示すための地図がこれら情報掲載領域１０１ａ，１０１ｂを跨るように掲載され、また、情報掲載領域１０１ｃ，１０１ｄ，１０２ａ，１０２ｂには、情報掲載領域１０１ａ，１０１ｂに掲載された物件の詳細情報がそれぞれ掲載され、また、情報掲載領域１０２ｃには、この住宅物件カタログの配布先を示す情報が掲載され、また、情報掲載領域１０２ｄには、その他の物件情報が掲載されている。
【００３７】
上記のように構成された住宅物件カタログは、情報掲載領域１０１ａ〜１０１ｄ，１０２ａ〜１０２ｄに上述したような情報がそれぞれ印字された後、まず、用紙の両端が用紙の中心線にて接するようにＢ−Ｂ線で折り畳まれ、次に、用紙の中心線であるＡ−Ａ線で二つ折りに折り畳まれる。これにより、住宅物件カタログが折り畳まれた状態において、この住宅物件カタログの提供先を示す情報が掲載された情報掲載領域１０２ｃが表出することになる。なお、本発明における用紙の折り畳み方はこれに限らず、折り畳まれた際に提供先を示す情報が表出するような折り畳み方であればよい。なお、このＡ−Ａ線は、情報掲載領域１０１ｂと情報掲載領域１０１ｃ、並びに、情報掲載領域１０２ｂと情報掲載領域１０２ｃとを分割するための境界線となり、また、Ｂ−Ｂ線は、情報掲載領域１０１ａと情報掲載領域１０１ｂ、情報掲載領域１０１ｃと情報掲載領域１０１ｄ、情報掲載領域１０２ａと情報掲載領域１０２ｂ、並びに、情報掲載領域１０２ｃと情報掲載領域１０２ｄとを分割するための境界線となっている。
【００３８】
以下に、上述した住宅物件カタログの作成方法について詳細に説明する。
【００３９】
図５は、図４に示した住宅物件カタログを作成するための住宅物件カタログ作成システムの実施の一形態を示す図である。また、図６は、図５に示した住宅物件カタログ作成システムにおける住宅物件カタログの作成方法を説明するためのフローチャートである。
【００４０】
本形態における住宅物件カタログ作成システムは図５に示すように、顧客情報を顧客情報データベース１６１に登録する顧客情報登録部１１０と、指定された情報に基づいて顧客情報データベース１６１を検索する顧客情報検索部１２０と、顧客情報検索部１６１にて検索された顧客情報に基づいて物件情報データベース１６２を検索する物件情報検索部１３０と、物件情報検索部１３０にて検索された物件情報を印刷対象となる用紙の情報掲載領域に応じたレイアウトに従って編集する物件情報編集部１４０と、物件情報編集部１４０にて編集された物件情報を、図４に示したような８４０ｍｍ×２９７ｍｍのサイズの用紙の表裏にそれぞれ印字する印字部１５０とから構成されている。
【００４１】
上記のように構成された住宅物件カタログ作成システムにおいては、住宅物件カタログが提供される利用者について、顧客情報を予め登録しておく必要がある。顧客情報としては、利用者の氏名、年齢、性別、住所等の属性情報や、物件を指定するための、地域、価格、種別、間取り等の情報が挙げられ、これらの情報が顧客情報登録部１１０によって顧客情報データベース１６１に登録される（ステップＳ１０１）。なお、顧客情報データベース１６１に顧客情報を登録する際に利用者を識別可能なＩＤを利用者毎に付与し、この利用者の顧客情報と対応づけて顧客情報データベース１６１に登録しておけば、後に、顧客情報データベース１６１を検索する際にＩＤを指定するだけで顧客情報を検索することができるようになる。また、この顧客情報の登録は、利用者がｗｅｂ上の所定のサイトを介して行うこと等が考えられるが、その他に、住宅物件カタログの発行元あるいは不動産業者にて行う等、特に限定されるものではない。
【００４２】
その後、利用者に住宅物件カタログを提供する場合は（ステップＳ１０２）、まず、顧客情報検索部１２０において、顧客情報データベース１６１の中から利用者の顧客情報が検索される（ステップＳ１０３）。この際、顧客情報検索部１２０においては、顧客情報データベース１６１の中から顧客情報を検索するための情報が指定される。顧客情報を検索するための情報としては、顧客情報データベース１６１に顧客情報として登録されている利用者の氏名や住所や、顧客情報に対応づけられたＩＤが挙げられ、これらのいずれかの情報が指定されると、顧客情報検索部１２０において、指定された情報に基づいて、顧客情報データベース１６１の中から利用者の顧客情報が検索されることになる。
【００４３】
次に、物件情報検索部１３０において、顧客情報検索部１２０にて検索された顧客情報に基づいて物件情報データベース１６２が検索される（ステップＳ１０４）。物件情報データベース１６２には、物件毎に、その地域、価格、種別、間取り等の詳細情報が登録されている。物件情報検索部１３０においては、顧客情報検索部１２０にて検索された顧客情報と、物件情報データベース１６２に登録された物件の詳細情報とが対比され、顧客情報検索部１２０にて検索された顧客情報によって指定される条件に合致する情報を有する物件が検索されることになる。
【００４４】
次に、物件情報編集部１４０において、印刷対象となる用紙の情報掲載領域に応じたレイアウトに従って、物件情報検索部１３０にて検索された物件情報が編集される（ステップＳ１０５）。これにより、全ての対象物件の位置情報を示すための地図が情報掲載領域１０１ａ，１０１ｂを跨るようにレイアウトされ、また、情報掲載領域１０１ａ，１０１ｂに掲載された物件の詳細情報が情報掲載領域１０１ｃ，１０１ｄ，１０２ａ，１０２ｂにレイアウトされ、また、この住宅物件カタログの配布先を示す情報が情報掲載領域１０２ｃにレイアウトされ、また、その他の物件情報が情報掲載領域１０２ｄにレイアウトされることになる。
【００４５】
その後、印字部１５０において、物件情報編集部１４０にて編集された情報が、ロール供給される連続紙の表裏に連続的に印字され、その後、図４に示したような８４０ｍｍ×２９７ｍｍのサイズに断裁され、さらに、その後、上述したように折り畳まれ、２１０ｍｍ×２９７ｍｍの大きさを有する住宅物件カタログとして完成する。この住宅物件カタログは、折り畳まれた状態において提供先を示す情報が表出しているので、折り畳まれた状態で透明封筒に封入するだけで、提供先に郵送等の手段によって提供することが可能となる。
【００４６】
このように本形態においては、提供先に関する情報である顧客情報に基づいて掲載内容が編集されているので、提供先に応じた情報を提供先に提供することができ、また、折り畳まれることによって分割される情報掲載領域に応じたレイアウトに従って、提供される情報が掲載されているので、折り畳まれた状態でも情報を閲覧することができ、見やすい形態で情報を提供することができる。
【００４７】
【発明の効果】
以上説明したように本発明においては、複数の項目からなる情報が掲載された情報提供媒体において、折り畳まれることによって分割される複数の情報掲載領域からなり、複数の項目のそれぞれについて、情報掲載領域に応じたレイアウトに従って、提供先に応じた情報が掲載されている構成としたため、提供先に応じた情報を提供先に提供することができるとともに、折り畳まれた状態でも情報を閲覧することができ、見やすい形態で情報を提供することができる。
【００４８】
また、複数の情報掲載領域のうち折り畳まれた際に表出する情報掲載領域に、提供先を示す情報が掲載されているものにおいては、この情報提供媒体を、折り畳まれた状態で透明封筒に封入するだけで、提供先に郵送等の手段によって情報を提供することができる。
【図面の簡単な説明】
【図１】本発明の情報提供媒体の第１の実施の形態である旅行カタログの構成を示す図であり、（ａ）は広げた状態の表面構成を示す図、（ｂ）は広げた状態の裏面構成を示す図である。
【図２】図１に示した旅行カタログを作成するための旅行カタログ作成システムの実施の一形態を示す図である。
【図３】図２に示した旅行カタログ作成システムにおける旅行カタログの作成方法を説明するためのフローチャートである。
【図４】本発明の情報提供媒体の第２の実施の形態である住宅物件カタログの構成を示す図であり、（ａ）は広げた状態の表面構成を示す図、（ｂ）は広げた状態の裏面構成を示す図である。
【図５】図４に示した住宅物件カタログを作成するための住宅物件カタログ作成システムの実施の一形態を示す図である。
【図６】図５に示した住宅物件カタログ作成システムにおける住宅物件カタログの作成方法を説明するためのフローチャートである。
【符号の説明】
１ａ〜１ｄ，２ａ〜２ｄ，１０１ａ〜１０１ｄ，１０２ａ〜１０２ｄ    情報掲載領域
１０，１１０    顧客情報登録部
２０，１２０    顧客情報検索部
３０    旅行案内情報検索部
４０    旅行案内情報編集部
５０，１５０    印字部
６１，１６１    顧客情報データベース
６２    旅行案内情報データベース
１３０    物件情報検索部
１４０    物件情報編集部
１６２    物件情報データベース
【図１】
2004213056.tif 000003
【図２】
2004213056.tif 000004
【図３】
2004213056.tif 000005
【図４】
2004213056.tif 000006
【図５】
2004213056.tif 000007
【図６】
2004213056.tif 000008